(57)【要約】【課題】加工布用枠において、筒状の布受け体の伸長方向における刺繍対象の加工布を刺繍可能な状態に伸張保持する。【解決手段】加工布用枠１０において、筒状を形成した布受け体１１の刺繍領域を区画する縫製用開口部１６に刺繍対象の加工布をセットする。次に、布受け体１１に対して接離可能に外嵌されている布押え枠１２の布押え部材２６で布受け部２１上の加工布を押圧する。押圧された加工布が、凹溝２２と係合凸部２８の係合リブ３９によって挟持されて、刺繍対象の加工布を刺繍可能な状態に伸張保持される。【選択図】  図２
2005336671.tif 000002
【特許請求の範囲】
【請求項１】
刺繍対象の加工布を刺繍可能な状態に伸張保持する為の加工布用枠において、
筒状を成し、刺繍可能領域を区画する縫製用開口部とその縫製用開口部の外周部分において加工布を支える布受け部とを有する布受け体と、
前記布受け体に接離可能に外嵌されて、前記布受け体に外嵌状に装着された加工布を外側から前記布受け部に対して押圧する布押え部材を有する布押え枠とを備え、
前記縫製用開口部の外周部分のうちの前記筒状布受け体の筒の伸長方向における両端側部分の少なくとも一方側部分に位置する前記布受け部と、その少なくとも一方側部分に位置する前記布受け部に対向する前記布押え部材の押圧部との一方に凹溝を形成すると共に、他方に前記凹溝に係合して加工布を挟持する係合凸部を形成したことを特徴とする加工布用枠。
【請求項２】
前記縫製用開口部の外周部分のうちの前記筒状布受け体の筒の伸長方向における両端側部分に位置する１対の布受け部と、この１対の布受け部に夫々対向して外嵌される１対の前記布押え部材の押圧部との一方に凹溝を形成すると共に、他方に前記凹溝に係合して加工布を挟持する係合凸部を形成したことを特徴とする請求項１に記載の加工布用枠。
【請求項３】
前記布受け体が円筒形状を成しており、前記縫製用開口部の外周部分のうちの筒状布受け体の筒の伸長方向おける両端側部分の布受け部と前記布押え部材とが円弧状に形成されるとともに、前記凹溝及び前記係合凸部が円弧状に形成されていることを特徴とする請求項１又は２に記載の加工布用枠。
【請求項４】
前記凹溝が前記布受け部に形成され、前記係合凸部が前記布受け部に対向する前記布押え部材の押圧部に形成されていることを特徴とする請求項１〜３の何れかに記載の加工布用枠。
【請求項５】
前記係合凸部の先端に、この係合凸部と前記凹溝とで加工布を屈曲状に保持可能とする尖鋭部を形成したことを特徴とする請求項１〜４の何れかに記載の加工布用枠。
【請求項６】
前記布押え枠の移動により前記係合凸部と前記凹溝とが離間することを規制する規制手段を備えたことを特徴とする請求項１〜５の何れかに記載の加工布用枠。
【請求項７】
刺繍対象の加工布を刺繍可能な状態に伸張保持する為の加工布用枠において、
筒状を成し、刺繍可能領域を区画する縫製用開口部とその縫製用開口部の外周部分において加工布を支える布受け部とを有する布受け体と、
前記布受け体に接離可能に外嵌されて、前記布受け体に外嵌状に装着された加工布を外側から前記布受け部に対して押圧する布押え枠とを備え、
前記布押え枠は、前記縫製用開口部の外周部分のうちの前記筒状布受け体の筒の伸長方向における両端側部分に対応する位置において前記伸長方向と直交する方向に延設された１対の布押え部材と、その１対の布押え部材の延設方向の両端に連結された１対の保持レバーとを有し、
前記１対の保持レバーの基端部を前記筒状布受け体の基部に前記伸長方向と直交する軸心回りに回動可能に枢支する枢支機構と、前記１対の保持レバーの基端部を前記筒状布受け体側へ弾性付勢する１対の弾性部材とを設け、
前記１対の布押え部材のうち前記基端部側に位置する布押え部材の前記延設方向における両端部には、前記保持レバーを前記筒状布受け体から離間する方向へ移動を許容する移動許容部が形成されていることを特徴とする加工布用枠。
【請求項８】
前記移動許容部には、１対の保持レバーを前記筒状布受け体から離間する方向へ移動を許容する長穴が形成されていることを特徴とする請求項７に記載の加工布用枠。
【請求項９】
前記布受け体の縫製用開口部の外周部分のうちの前記筒状布受け体の伸長方向と直交する方向における両端側部分には、前記１対の保持レバーと協働して加工布を挟持する突条部を形成したことを特徴とする請求項７に記載の加工用布。
【請求項１０】
前記突条部に、前記保持レバーが前記布受け体から浮上する方向へ移動することを規制する規制部を形成したことを特徴とする請求項９に記載の加工布用枠。
【請求項１１】
前記布受け体が円筒形状を成しており、前記布受け部と前記布押え部材とが円弧状に形成されたことを特徴とする請求項７〜１０に記載の加工布用枠。
【発明の詳細な説明】
【技術分野】
【０００１】
本発明は、加工布用枠に関し、刺繍対象の加工布を刺繍可能な状態に伸張して加工布を確実に保持可能な筒状の刺繍用の加工布用枠に関するものである。
【背景技術】
【０００２】
従来、円筒状の円筒枠や帽子枠を刺繍ミシンに装着することで、円筒枠に保持したＴシャツの背中部分や袖部等の筒状の布地、鍔付き帽子に刺繍縫いを施せるようにした刺繍ミシンが種々提案されるとともに、実用化されている。
【０００３】
例えば、特許文献１に記載の帽子枠装置では、作業用テーブル上に載置された矩形枠状の布搬送枠がＸ方向駆動機構とＹ方向駆動機構とで、Ｘ，Ｙ方向に夫々移動可能であり、帽子枠装置のベースフレームと回動フレームとが、本体フレームのベッド本体部に後端を固着した支軸に支持され、連結機構を介して布搬送枠と共に前後方向（Ｙ方向）に移動されるとともに、回動フレームに巻き付けたワイヤを介して、布搬送枠の左右方向の移動に同期して回動駆動されるようにしてある。帽子の正面部分に刺繍する場合に、帽子を装着した帽子枠を帽子枠装置の回動フレームに装着して、帽子の庇部を紐部材等で庇受け部材に固定した状態で刺繍を施している。
【０００４】
前記刺繍用円筒枠では、刺繍領域を画する矩形状の開口部が設けられ、その開口部を覆う状態にしてＴシャツの背中部分や袖部等の筒状の加工布を円筒枠にセットし、押え枠により加工布を円筒枠に押圧保持し刺繍縫製を行う。円筒枠の伸長方向と直交する方向においては、円筒枠の外周面の突起と押え枠に挟持された刺繍対象の加工布に屈曲抵抗を与えて加工布の保持状態を維持している。
【０００５】
【特許文献１】特開平１１−２００２２８号公報
【発明の開示】
【発明が解決しようとする課題】
【０００６】
従来の刺繍用円筒枠では、Ｔシャツの背中部分や袖部等の筒状の加工布に刺繍する場合に、円筒枠の伸長方向と直交する方向においては、円筒枠の外周面の突起と押え枠によって加工布に屈曲抵抗を与えて加工布を保持している。しかし、円筒枠の伸長方向においては、加工布が保持されていないか、あるいは押え枠で加工布表面を円筒枠に押圧することによる摩擦抵抗によって加工布が保持されているのが実情である。加工布の布厚や種類によっては布の保持力を維持することができず、刺繍縫製時に刺繍模様の縫いずれを起こす虞れがある。
【０００７】
本発明の目的は、筒状の布受け体の筒の伸長方向における刺繍対象の加工布を刺繍可能な状態に伸張保持可能な筒状の加工布用枠を提供すること、加工布の刺繍縫製時の刺繍ずれを防止可能な筒状の加工布用枠を提供すること、等である。
【課題を解決するための手段】
【０００８】
請求項１の加工布用枠は、刺繍対象の加工布を刺繍可能な状態に伸張保持する為の加工布用枠において、筒状を成し、刺繍可能領域を区画する縫製用開口部とその縫製用開口部の外周部分において加工布を支える布受け部とを有する布受け体と、前記布受け体に接離可能に外嵌されて、前記布受け体に外嵌状に装着された加工布を外側から前記布受け部に対して押圧する布押え部材を有する布押え枠とを備え、前記縫製用開口部の外周部分のうちの前記筒状布受け体の筒の伸長方向における両端側部分の少なくとも一方側部分に位置する前記布受け部と、その少なくとも一方側部分に位置する前記布受け部に対向する前記布押え部材の押圧部との一方に凹溝を形成すると共に、他方に前記凹溝に係合して加工布を挟持する係合凸部を形成したことを特徴とするものである。
【０００９】
この加工布用枠は家庭用の刺繍ミシンに適用するのに適したものである。この加工布用枠では、筒状の布受け体の刺繍領域を区画する縫製用開口部に刺繍対象の加工布をセットする。次に、布受け体に対して接離可能に外嵌される布押え枠の布押え部材で布受け部に加工布を押圧する。ここで、布受け体の筒の伸長方向における両端側部分の少なくとも一方側部分に位置する布受け部と、その少なくとも一方側部分に位置する布受け部に対向する布押え部材の押圧部との一方に凹溝を形成すると共に他方にその凹溝に係合して加工布を挟持する係合凸部を形成したので、加工布が凹溝と係合凸部との係合により挟持され刺繍可能な状態に伸張保持される。
【００１０】
請求項２の加工布用枠は、請求項１の発明において、縫製用開口部の外周部分のうちの筒状布受け体の筒の伸長方向における両端側部分に位置する１対の布受け部と、この１対の布受け部に夫々対向して外嵌される１対の布押え部材の押圧部との一方に凹溝を形成すると共に他方に凹溝に係合して加工布を挟持する係合凸部を形成したことを特徴とする。  
【００１１】
請求項３の加工布用枠は、請求項１又は２の発明において、布受け体が円筒形状を成しており、縫製用開口部の外周部分のうちの筒状布受け体の筒の伸長方向おける両端側部分の布受け部と前記布受け部とが円弧状に形成されるとともに、凹溝及び前記係合凸部が円弧状に形成されたことを特徴とする。
【００１２】
請求項４の加工布用枠は、請求項１〜３の何れかの発明において、凹溝が布受け部に形成され、係合凸部が布受け部に対向する布押え部材の押圧部に形成されたことを特徴とする。
【００１３】
請求項５の加工布用枠は、請求項１〜４の何れかの発明において、係合凸部の先端に、この係合凸部と凹溝とで加工布を屈曲状に保持可能とする尖鋭部を形成したことを特徴とする。
【００１４】
請求項６の加工布用枠は、請求項１〜５の何れかの発明において、布押え枠の移動により係合凸部と凹溝とが離間することを規制する規制手段を備えたことを特徴とする。
【００１５】
請求項７の加工布用枠は、刺繍対象の加工布を刺繍可能な状態に伸張保持する為の加工布用枠において、筒状を成し、刺繍可能領域を区画する縫製用開口部とその縫製用開口部の外周部分において加工布を支える布受け部とを有する布受け体と、布受け体に接離可能に外嵌されて、布受け体に外嵌状に装着された加工布を外側から布受け部に対して押圧する布押え枠とを備え、布押え枠は、縫製用開口部の外周部分のうちの筒状布受け体の筒の伸長方向における両端側部分に対応する位置において伸長方向と直交する方向に延設された１対の布押え部材と、その１対の布押え部材の延設方向の両端に連結された１対の保持レバーとを有し、１対の保持レバーの基端部を筒状布受け体の基部に伸長方向と直交する軸心回りに回動可能に枢支する枢支機構と、１対の保持レバーの基端部を筒状布受け体側へ弾性付勢する１対の弾性部材とを設け、１対の布押え部材のうち基端部側に位置する布押え部材の延設方向における両端部には、保持レバーを筒状布受け体から離間する方向へ移動を許容する移動許容部が形成されていることを特徴とするものである。
【００１６】
この加工布用枠は、布受け体と、布押え枠と、縫製用開口部の外周部における筒の伸長方向両端側の１対の布押え部材と、これら１対の布押え部材の両端を支持する１対の保持レバーと、これら１対の保持レバーの基端部を布受け体に回動可能に枢支する枢支機構と、１対の弾性部材と、基端側の布押え部材の両端部に対して１対の保持レバーを布受け体から離間するのを許容する１対の移動許容部などを有する。
【００１７】
枢支機構を介して１対の保持レバーを回動させることで、１対の布押え部材を縫製用開口部の外周部のうちの筒の伸長方向両端の布受け部に押圧して加工布を保持する。前記１対の弾性部材と１対の移動許容部を介して、加工布の厚さが変化した場合にも、確実に加工布を保持することができる。
【００１８】
即ち、加工布の布厚や種類が変化する場合でも、１対の布押え部材の基端部分側に延設する方向の両端部に設けられた移動許容部によって、１対の保持レバーが加工布の布厚や種類に応じて筒状布受け体から離間する方向へ移動して加工布が刺繍可能な状態に保持される。しかも、保持レバーの基端部は、弾性部材により布受け体の方へ付勢されているため、保持レバーによっても加工布を布受け体に保持することができる。
【００１９】
請求項８の加工布用枠は、請求項７の発明において、前記移動許容部には、１対の保持レバーを前記筒状布受け体から離間する方向へ移動を許容する長穴が形成されていることを特徴とする。
【００２０】
請求項９の加工布用枠は、請求項７の発明において、前記布受け体の縫製用開口部の外周部分のうちの前記筒状布受け体の伸長方向と直交する方向における両端側部分には、前記１対の保持レバーと協働して加工布を挟持する突条部を形成したことを特徴とする。
【００２１】
請求項１０の加工布用枠は、請求項９の発明において、前記突条部に、前記保持レバーが前記布受け体から浮上する方向へ移動することを規制する規制部を形成したことを特徴とする。
【００２２】
請求項１１の加工布用枠は、請求項７〜１０の発明において、前記布受け体が円筒形状を成しており、前記布受け部と布押え部材とが円弧状に形成されたことを特徴とする。
【発明の効果】
【００２３】
請求項１の発明に係る加工布用枠においては、縫製用開口部の外周部分のうちの筒の伸長方向の少なくとも一方側において、布受け部とそれに対応する布押え部材の押圧部の一方に凹溝を設けると共に、他方に凹溝に係合して加工布を挟持する係合凸部を形成したので、加工布を挟んで凹溝に係合凸部を係合させることで、加工布を十分な保持力で保持することができ、刺繍縫製時の縫いずれを防止することができる。
【００２４】
請求項２の発明によれば、縫製用開口部の外周部分のうちの筒の伸長方向の両端部分に位置する１対の布受け部と、これらに対応する１対の布押え部材の押圧部の一方に凹溝を設けると共に、他方に凹溝に係合して加工布を挟持する係合凸部を形成したので、加工布を挟んで凹溝に係合凸部を係合させることで、加工布を十分な保持力で保持することができ、刺繍縫製時の縫いずれを防止することができる。
【００２５】
請求項３の発明によれば、布受け体が円筒形状を成し、縫製用開口部の外周部分のうちの布受け体の筒の伸長方向おける両端側部分の布受け部と布押え部材とが円弧状に形成され、凹溝と係合凸部が円弧状に形成されているので、縫製用開口部の両端側において加工布を部分円筒面状に確実に保持できるから、円筒形状の布受け体に加工布を部分円筒面状に保持することができる。
【００２６】
請求項４の発明によれば、凹溝が布受け部に形成され、係合凸部が布受け部に対向する布押え部材の押圧部に形成されるので、凹溝と係合凸部との係合位置の位置ずれを起こすことなく刺繍縫製時の縫いずれを確実に防止する。
【００２７】
請求項５の発明によれば、係合凸部の先端に、この係合凸部と凹溝とで加工布を屈曲状に保持可能とする尖鋭部を形成したので、係合凸部の尖鋭部と凹溝とによって加工布に屈曲抵抗を与えて、布受け体の筒の伸長方向への加工布のすべりを規制する。
【００２８】
請求項６の発明によれば、布押え枠の移動により係合凸部と凹溝とが離間することを規制する規制手段を備えたので、この規制手段によって布押え枠の移動を規制して凹溝と係合凸部の布保持作用を維持することができる。
【００２９】
請求項７の発明によれば、布押え枠には、１対の保持レバーの基端部を筒状布受け体の基部に筒の伸長方向と直交する軸心回りに回動可能に枢支する枢支機構と、１対の保持レバーの基端部を布受け体側へ弾性付勢する１対の弾性部材を設けたので、保持レバーを弾性部材によって常に布受け体側へ弾性付勢して、加工布の布厚の変化に対応するように保持レバーの基端部の位置を調整して、１対の保持レバーにより、縫製用開口部の外周部分のうちの布受け体の筒の伸長方向と直交する方向の両端側の布受け部に加工布を押圧し、加工布を安定した状態で伸張させた状態に保持することができる。
【００３０】
１対の布押え部材のうち基端部側に位置する布押え部材の延設方向における両端部には、保持レバーを布受け体から離間する方向へ移動を許容する移動許容部を形成したので、加工布の布厚や種類の変化に応じて１対の保持レバーが布受け体から離間する方向へ移動して布厚の変化に対応できる。
【００３１】
請求項８の発明によれば、移動許容部に、１対の保持レバーを布受け体から離間する方向へ移動を許容する長穴を形成したので、加工布の布厚や種類の変化に応じて、保持レバーの位置を自動的に調節可能である。
【００３２】
請求項９の発明によれば、布受け体の縫製用開口部の外周部分のうちの布受け体の伸長方向と直交する方向における両端側部分には、１対の保持レバーと協働して加工布を挟持する突条部を形成したので、１対の保持レバーと突条部とで、加工布を屈曲状に挟持して、加工布を確実に保持することができる。
【００３３】
請求項１０の発明によれば、保持レバーが布受け体から浮上する方向へ移動することを規制する規制部を形成したので、規制部によって加工布を保持する保持レバーをロック状態にして保持レバーが布受け体から浮上してぐらつかないように規制して加工布の弛みを防止することができる。
【００３４】
請求項１１の発明によれば、布受け体が円筒形状を成し、布受け部と布押え部材とが円弧状に形成されたので、縫製用開口部の外周部分のうち布受け体の筒の伸長方向の両端側の布受け部と布押え部材とで、加工布を部分円筒面状に保持し、刺繍領域の加工布を部分円筒状に保持することができる。
【発明を実施するための最良の形態】
【００３５】
本発明の加工布用枠は、筒状を成し、刺繍可能領域を区画する縫製用開口部とその縫製用開口部の外周部分において加工布を支える布受け部とを有する布受け体と、前記布受け体に接離可能に外嵌されて、前記受け体に外嵌状に装着された加工布を外側から前記布受け部に対して押圧する布押え部材を有する布押え枠とを備え、前記縫製用開口部の外周部分であって前記筒状布受け体の筒の伸長方向における両端側部分の少なくとも一方側部分に位置する前記布受け部と、その少なくとも一方側部分に位置する前記布受け部に対向する前記布押え部材の押圧部との一方に凹溝を形成すると共に、他方に前記凹溝に係合して加工布を挟持する係合凸部を形成したものである。
【実施例】
【００３６】
以下、本発明の実施例について図面を参照して説明する。
図１に示すように、刺繍ミシン１は、作業テーブル９等に載置され、水平なベース部２と、このベース部２の後端部分に上下方向に立設された脚柱部３と、この脚柱部３から前方へ水平に延びるシリンダベッド部４と、脚柱部３の上端部から前方へ延びるアーム部５とを備えている。ここで、シリンダベッド部４の長さ方向と直交する水平方向をＸ方向（左右方向）とし、シリンダベッド部４の長さ方向をＹ方向（前後方向）とする。
【００３７】
アーム部５には、図示しないが、ミシンモータで駆動される主軸、針棒６を介して縫針７を上下動させる針棒上下駆動機構、天秤駆動機構等が設けられている。シリンダベッド部４内には、図示を省略するが、縫針７との協働により縫目を形成する糸輪捕捉器、縫製終了時に上糸と下糸を切断する糸切り機構等が設けられている。脚柱部３には、作業者の手動操作により主軸を回転させて縫針７を上下動させるためのハンドプーリ８が設けられている。
【００３８】
先ず、加工布用枠１０について説明する。
図１，図２に示すように、加工布用枠１０は、布受け体１１と、布押え枠１２とを備え、布受け体１１と布押え枠１２とが協働して刺繍対象の加工布を刺繍可能な状態に伸張保持するために布押え枠１２が布受け体１１に接離可能に外嵌される。
【００３９】
次に、布受け体１１について説明する
図２に示すように、布受け体１１は、筒状連結部１３と、布保持部１４と、鍔部１５と、縫製用開口部１６と、この縫製用開口部１６の外周部分において刺繍対象の加工布を支える布受け部２１ａ〜２１ｄ等を備えている。布受け部２１ｃ，２１ｄには、突条部２３と規制部２４と布押え枠摺動部２５とが形成されている。
【００４０】
加工布に刺繍縫製を施す場合には、布受け体１１に加工布を取付け、その布受け体１１を刺繍ミシン１の枠駆動体１８に装着して刺繍縫製を行う。その枠駆動体１８は、布受け体１１をシリンダベッドの長さ方向と、布受け体１１の軸心回りとの２つの方向へ独立に駆動できるようになっている。
布受け体１１は、合成樹脂製の円筒形状の布受け枠であり、刺繍ミシン１の枠駆動体１８と連結する筒状連結部１３と、その筒状連結部１３から前方へ一体的に延びた布保持部１４とを有し、布保持部１４は布受け体１１の全体のうちの前側約２／３部分を占めている。筒状連結部１３と布保持部１４の境界部には環状の鍔部１５が形成されている。
【００４１】
前記布保持部１４の上半部には、刺繍可能領域を区画する縫製用開口部１６が形成されている。縫製用開口部１６は、布保持部１４のほぼ全長に亘って布保持部１４の上半部を除去した状態に形成されるが、平面視にて矩形状、側面視にて矩形状である。
筒状連結部１３の上面の中段部には２つの係合凹部１７が形成されている。この係合凹部１７に円筒枠駆動体１８の保持ローラ１９が係合して、布受け体１１が着脱可能に装着される。筒状連結部１３の下端部には、位置決め嵌合部としての位置決め凹部２０が下方に突出状に形成され、枠駆動体１８の位置決め凸部（図示略）に係合して布受け体１１のＹ方向と軸心回り方向（θ方向）の位置決めが行われる。
【００４２】
縫製用開口部１６の外周部分のうちの布受け体１１の筒の伸長方向の両端側部分（前後両端側部分）には、布受け体１１の筒の伸長方向と直交する方向に円弧状に延びて加工布を支える１対の円弧状の布受け部２１ａ，２１ｂが形成されている。この１対の布受け部２１ａ，２１ｂには凹溝２２ａ，２２ｂが夫々形成されている。
縫製用開口部１６の外周部分のうちの布受け体１１の伸長方向と直交する方向における両端側部分（左右両端側部分）には、１対の布受け部２１ｃ，２１ｄと、縫製用開口部１６の刺繍可能領域全域に沿って前後方向に延びる左右１対の突条部２３とが設けられている。
【００４３】
各突条部２３の先端近傍部には側面視矩形状の規制部２４が突条部２３に対して突出し、突条部２３の後端部の近傍付近には布受け体１１の側面部を平坦に面取りした布押え枠摺動部２５が形成されている。この布押え枠摺動部２５によって、布受け体１１に対する布押え枠１２の端部の接離動作がスムーズになる。
【００４４】
次に、布押え枠１２について説明する。
布押え枠１２は、布押え部材２６ａ，２６ｂと、左右１対の保持レバー３０とを有する  布押え枠１２は、布受け体１１の縫製用開口部１６の外周部分に接離可能に外嵌されて、加工布を布受け部２１ａ〜２１ｄに押圧するものである。この布押え枠１２には、縫製用開口部１６の外周部分のうちの前記１対の円弧状布受け部２１ａ，２１ｂと係合可能な１対の布押え部材２６ａ，２６ｂが設けられ、この１対の布押え部材２６ａ，２６ｂは、布受け体１１の筒の伸長方向と直交する方向に円弧状に延びている。尚、前側の布押え部材２６ａの左右両端部には、布押え枠１２を上下に開閉する際に掴むための舌片状の把手３９が外側へ張出状に形成されている。
【００４５】
この１対の布押え部材２６ａ，２６ｂの内側には、布受け部２１ａ，２１ｂに対向して当接可能な円弧状の押圧部２７ａ，２７ｂが設けられ、この押圧部２７には、凹溝２２a ，２２ｂに係合して加工布を挟持する係合凸部２８a ，２８ｂが形成されている。前側の布押え部材２６ａの内側には、布押え部材２６ａを補強する円弧状の補強リブ２９が布受け体１１の筒の伸長方向と直交する方向に円弧状に延びている。
【００４６】
次に、保持レバー３０について説明する。
１対の保持レバー３０は左右対称のもので、これら１対の保持レバー３０は、夫々、刺繍可能領域全域に沿って筒の伸長方向に平行に延びる棒状部３０ａと、この棒状部３０ａの後端に連なるクランク部３０ｂと、このクランク部３０ｂの後端から屈曲された枢支軸部３０ｃを有する。１対の保持レバー３０の棒状部３０ａの先端部分が布押え部材２６ａの左右両端部に形成された１対の保持レバー固定部３１に夫々固持されている。
【００４７】
一方、１対の保持レバー３０の後端側の基端部には、左右方向の外側へ屈曲させた枢支軸部３０ｃが形成され、これら１対の枢支軸部３０ｃが、布受け体１１の基端側の鍔部１５に、枢支機構３４により、布受け体１１の伸長方向と直交する軸心回りに回動可能に枢支されている。鍔部１５の左右両側部分には平面視Ｌ字型の金具３３が２本のビス３２により夫々取付けられ、各枢支軸部３０ｃが対応する金具３３の穴に回動可能に枢支されている。１対の保持レバー３０を圧縮コイルバネで布受け体１１側へ弾性付勢するために、枢支軸部３０ｃには圧縮コイルバネからなる弾性部材３５が装着され、弾性部材３５の内端は枢支軸部３０ｃに固定したストップリング部材３６で受け止められている。
【００４８】
次に、布押え部材２６ｂの左右両端部に対する１対の保持レバー３０の左右方向への移動を夫々許容する移動許容部３７について説明する。保持レバー３０を連結する布押え部材２６ｂの延設方向（左右方向）の両端部分には、加工布の布厚の種類に応じて保持レバー３０が布受け体１１から離間する方向へ移動許容できるようにする移動許容部３７が設けられている。図７，図８に示すように、布押え部材２６ｂの延設方向（左右方向）の両端部には、移動許容部３７として、１対の保持レバー３０が挿通する長穴が左右方向に細長に形成され、加工布の布厚や種類が変化しても、この長穴（３７）を介して１対の保持レバー３０の位置が左右方向に調節され、突条部２３と協働して加工布を屈曲状に挟持して保持できるように構成されている。そのため、この長穴（３７）は、加工布の布厚や種類に応じて１対の保持レバー３０が布受け体１１から離間できる方向へ移動可能に形成されている。
【００４９】
１対の保持レバー３０は、１対の突条部２３と協働して加工布のうちの開口部１６の左右両側の部分を屈曲状に挟持し、１対の保持レバー３０が加工布を挟持した状態では、保持レバー３０が規制部２４によって布受け体１１から浮上しないようにロック状態に規制される。１対の保持レバー３０に対する布押え部材２６ｂの相対位置が変動しないように、布押え部材２６ｂ左右両端部には、その端部から後方へ延びて保持レバーのクランク部３０ｂに係合する係止部３８が形成されている。
【００５０】
次に、１対の布受け部２１a ，２１ｂの凹溝２２と、布押え部材２６ａ，２６ｂの係合凸部２８ａ，２８ｂについて説明する。図２〜図６に示すように、１対の円弧状の布受け部２１ａ，２１ｂには、筒の伸長方向と直交する方向に円弧状に延びる凹溝２２ａ，２２ｂが形成され、１対の布押え部材２６ａ，２６ｂの内側の押圧部２７ａ，２７ｂには凹溝２２ａ，２２ｂに係合して加工布を挟持する係合凸部２８ａ，２８ｂが夫々設けられている。係合凸部２８ａ，２８ｂは、布受け体１１の筒の伸長方向と直交する方向に円弧状に延びている。
【００５１】
この係合凸部２８a ，２８ｂは、凹溝２２と係合して加工布を確実に挟持できる円弧状に連続する係合リブに形成されている。刺繍縫製中にも、凹溝２２と係合凸部２８による布保持状態を維持するために、保持レバー３０の布保持位置を維持する規制手段が規制部２４により構成されている。この規制手段は、加工布が凹溝２２と係合凸部２８とによって挟持された状態において、凹溝２２と係合凸部２８とが離間しないように布押え枠１２の移動をを制する。但し、規制手段としては上記と異なる種々の構成を採用可能である。  
【００５２】
図５，６で示すように、係合凸部２８a ，２８ｂと凹溝２２ａ，22b とで加工布を屈曲状に保持できるように、係合凸部２８a ，２８ｂの先端は、布受け体１１の筒の伸長方向における縫製用開口部１６の中心側に向って先が尖ったくさび形状の尖鋭部４０に形成さされている。この尖鋭部４０によるくさび作用によって、布受け体１１の筒の伸長方向の加工布に対してより強い屈曲抵抗を与えることができる。
【００５３】
次に、以上説明した加工布用枠１０に加工布をセットし刺繍に供する縫製するときの作用、効果について説明する。この加工布用枠１０において、筒状の布受け体１１の縫製用開口部１６を覆うように加工布をセットし、布押え枠１２を布受け体１１に外嵌させ、布押え部材２２ａ，２２ｂで布受け部２１ａ，２１ｂに加工布を押圧し、加工布を伸長させたまま、凹溝２２a ，２２ｂと係合凸部２８a ，２８ｂによって加工布を屈曲状に挟持する。縫製用開口部１６の左右両側において、１対の保持レバー３０の棒状部３０ａが、加工布を挟んだ状態で突条部２３の下側に係合し、加工布を屈曲状に挟持する。このとき、１対の保持レバー３０は、弾性部材３５により布受け体１１側へ付勢されるため、棒状部３０ａが布受け部２１ｃ，２１ｄに押圧状態を維持する。こうして、加工布は、刺繍可能な状態に部分円筒状に伸張され保持され、その状態で刺繍縫製に供される。
【００５４】
この加工布用枠１では、１対の布受け部２１ａ，２１ｂの凹溝２２ａ，２２ｂと、布押え枠１２の布押え部材２６ａ，２６ｂの係合凸部２８とで加工布を屈曲状に挟持して保持するため、加工布を保持する保持力が高まり、尖鋭部４０によるくさび効果と加工布の屈曲抵抗とで、前後方向への加工布のすべりを規制し、刺繍縫製時の縫いずれを防止することができる。
【００５５】
更に、加工布の布厚や種類が変化する場合でも、布押え部材２６ｂの両端部の移動許容部３７の長穴によって、１対の保持レバー３０が加工布の布厚や種類に応じて布受け体１１から離間する方向へ移動して加工布が刺繍可能な状態に保持される。
【００５６】
そのため、枢支機構３４によって回動可能に枢支された１対の保持レバー３０を弾性部材３５によって常に布受け体側へ弾性付勢しているため、加工布の布厚の変化による保持レバー３０の位置ばらつきを吸収して左右方向に安定した状態で加工布を部分円筒面状に伸張保持することができる。
【００５７】
また、１対の保持レバー３０を布受け体１1 から離間する方向へ移動を許容する移動許容部３７が形成されているので、１対の保持レバー３０が加工布の布厚や種類に応じて布受け体１１から離間する方向へ移動して加工布に対して適正なテンションを与えることができる。
【００５８】
次に、前記実施の形態の変更形態について説明する。
１〕加工布用枠１０では、縫製用開口部１６の外周部分のうちの布受け体１１の筒の伸長方向おける両端側部分の１対の布受け部２１ａ，２１ｂに円弧状の係合凸部を夫々形成し、布押え枠１２の１対の布押え部材２６ａ，２６ｂの押圧部２７ａ，２７ｂに円弧状の凹溝を夫々形成してもよい。
【００５９】
２〕前記実施例の布受け体１１は円筒形状の布受け体を例にして説明したが、布受け体は角筒状や多角形状でもよく、楕円筒状でもよい。その場合にも、１対の布受け体１１の凹溝２２ａ，２２ｂと、１対の布押え部材２６ａ，２６ｂの係合凸部２８ａ，２８ｂを適用可能である。
【００６０】
３〕布押え枠１２は、合成樹脂材料で一体品に構成することも可能であり、縫製用開口部１６の左右両側の布受け部２１ｃ，２１ｄと、それに押圧される布押え部材の、一方に凹溝を形成し、他方に係合凸部を形成することも可能である。
４〕本発明は以上説明した実施の形態に限定されるものではなく、当業者であれば、本の趣旨を逸脱しない範囲で、前記実施形態に種々の変更を付加して実施することができ、本発明はそれらの変更形態をも包含するものである。
【図面の簡単な説明】
【００６１】
【図１】本発明の実施例に係る刺繍ミシンの側面図である。
【図２】加工布用枠の斜視図である。
【図３】加工布用枠の側面図である。
【図４】加工布用枠の平面図である。
【図５】図４のＶ−Ｖ線縦断部分拡大側面図である。
【図６】図４のＶＩ−ＶＩ線縦断部分拡大側面図である。
【図７】図４のＶＩＩ−ＶＩＩ線縦断正面図である。
【図８】図４のＶＩＩＩ−ＶＩＩＩ線縦断正面図である。
【符号の説明】
【００６２】
１０                  加工布用枠
１１                  布受け体
１２                  布押え枠
１６                  縫製用開口部
２１ａ〜２１ｄ  布受け部
２２ａ，２２ｂ  凹溝
２３                  突条部
２４                  規制部
２６ａ，２６ｂ  布押え部材
２７ａ，２７ｂ  押圧部
２８ａ，２８ｂ  係合凸部
３０                  保持レバー
３４                  枢支機構
３５                  弾性部材
３７                  移動許容部
４０                  尖鋭部
【図１】
2005336671.tif 000003
【図２】
2005336671.tif 000004
【図３】
2005336671.tif 000005
【図４】
2005336671.tif 000006
【図５】
2005336671.tif 000007
【図６】
2005336671.tif 000008
【図７】
2005336671.tif 000009
【図８】
2005336671.tif 000010